(57)【要約】【課題】設置しやすく、かつ、視認性及び安全性の高い安全柵の提供。【解決手段】プラスチックで形成され、下端が閉塞され上端が開放された鉛直方向に延びる溝状の受容部４が対称な位置に一対設けられ、地面に対してアンカーボルト２０で固定されて配設される複数の支持ポスト２と、プラスチックで形成され、受容部４の幅よりも薄く略同一の厚みに形成された板状を呈し、上下に端面同士を合わせる向きで積層され上面及び底面に形成された突部と凹部とが嵌合している第一パネル３１、第二パネル３２、及び第三パネル３３で構成され、支持ポスト２の受容部４に側端部を挿入して配設され、支持ポスト２によって支持されて立設され、視線を遮蔽する複数の仕切りパネル３とを備える。【選択図】図２
2009174177.tif 000002
【特許請求の範囲】
【請求項１】
プラスチックで形成され、略鉛直方向に延び上端側が開放された溝状を呈する受容部を側面に備え、前記受容部を対向させて地面に立設される一対の支持部材と、
プラスチックで形成された板状を呈し、左右の側端部が一対の前記受容部に夫々挿入され、前記一対の支持部材の間を遮蔽する仕切り部材と
を具備することを特徴とする安全柵。
【請求項２】
プラスチックで形成され、略鉛直方向に延び上端側が開放された溝状を呈する受容部を側面に複数備えており、地面に立設される複数の支持部材と、
プラスチックで形成され前記受容部よりも厚みの薄い板状を呈し第一突起部または第一凹部を底面に備えた上側板状部材、
及びプラスチックで形成され前記上側板状部材と略同一の厚みの板状を呈し前記第一凹部と嵌合する形状の第二突起部、または前記第一突起部と嵌合する形状の第二凹部、が上面に設けられ、前記上側板状部材の下側に配設される下側板状部材、
を含む複数の板状部材からなり、前記上側板状部材と前記下側板状部材とが端面合わせで上下に積層されて構成された仕切り部材と
を具備し、
所定の間隔を設けて前記受容部を対向させて順に配設された前記複数の支持部材の夫々の間に、前記支持部材の間を遮蔽する前記仕切り部材が、前記受容部に左右の側端部を夫々挿入され、底面と地面との間に隙間を設けて所定の高さで配設されている
ことを特徴とする安全柵。
【発明の詳細な説明】
【技術分野】
【０００１】
本発明は、通行を規制し安全を守る安全柵に関するものである。
【背景技術】
【０００２】
従来、交通の交錯しがちな箇所での危険な車線変更や転回を規制し、交通を誘導するための車線分離標が使用されている。例えば、特許文献１に開示の技術のように、車線上など通行規制する箇所に設置され、自動車の通行を誘導する棒状の部材を備えたものが一般に利用されている。車線分離標は、車線分離の表示機能を果たす一方で、柔軟な素材で形成されており、車両が接触した場合にも重大な損傷を与える虞が小さいことも特徴とする。
【０００３】
また、コンクリート成形品やフェンス等によって構成された防護柵も使用されている。防護柵は車線分離標と同様に設置された区間における通行規制を示すものであるが、車線分離標とは異なり自動車等の通過が不可能な物理的障壁をなす。
【０００４】
【特許文献１】特許第３２９０３１０号公報
【発明の開示】
【発明が解決しようとする課題】
【０００５】
しかし、従来の車線分離標は、棒状の部材が路面に立設されていたため、車線分離標同士の間には空間が開いており、車線分離標による通行規制が見落とされやすかった。車線分離標には目立つ色彩や表示が施されて視認性が高められていたが、実際には運転者の見落しによって車両が車線分離標に接触する事故がしばしば発生している。車線分離標は、プラスチック等の柔軟な素材で形成されているので、接触した車両の破損を抑制することができるものの、折損した部材が車輪周辺に巻き込まれたときには操縦を不安定にする虞があった。これは特に二輪車にとっては危険が伴うものであった。また、車線分離標を見落として車線を越えてしまうと、予期せぬ重大な事故の原因となる虞があった。
【０００６】
一方、中央分離帯等に設置される防護柵は、障壁としての効果は大きく視認性も高いが、車両が接触した場合には車両の損傷が大きくなりがちであり、合流箇所や分流箇所、交差点付近などにおいては事故時の危険性を高める虞があった。また、設置工事に比較的長い時間と多額の費用とを要するため、容易に設置できないという問題もあった。
【０００７】
そこで、本発明は、上記の実状に鑑み、設置しやすく、かつ、安全性の高い安全柵の提供を課題とするものである。
【課題を解決するための手段】
【０００８】
本発明の安全柵は、「プラスチックで形成され、略鉛直方向に延び上端側が開放された溝状を呈する受容部を側面に備え、前記受容部を対向させて地面に立設される一対の支持部材と、
プラスチックで形成された板状を呈し、左右の側端部が一対の前記受容部に夫々挿入され、前記一対の支持部材の間を遮蔽する仕切り部材と
を具備する」ことを特徴とするものである。
【０００９】
ここで、「遮蔽」とは、全面的に視認性を喪失させる場合のみではなく、部分的に遮蔽する場合も含めて所定の範囲の視認性を大幅に低下させることを言う。例えば穿孔が設けられた板状の部材や、濃色の施された窓が備えられた部材等であれば透過して視認することは不可能ではないが、そこに部材が存在していることが認識されるものであり、ここで言う「遮蔽」に含まれる。
【００１０】
本発明によれば、仕切り部材は板状を呈しており、一対の支持部材の受容部に支持されて立設されているので通行者に対する視認性が高い。仕切り部材は支持部材の間を遮蔽するため、見落とされにくく、通行規制の状況が従来の安全柵よりも明確に認識されることで不注意による接触などの事故の発生を抑制することができる。また、仕切り部材は支持部材の間を遮蔽するため、通過不能であると通行者に認識させて通行者の進行を誘導し、通行を円滑化する心理的な影響を及ぼすことができる。
【００１１】
また、本発明によれば、安全柵は、支持部材と仕切り部材とが別々のプラスチック製部品によって構成され、現場組立が可能であり、従来のガードレール等を用いた防護柵よりも設置および撤去が容易である。また、受容部は鉛直方向に延びる溝状を呈し、受容部の上方が開放されているので、仕切り部材を上方から出し入れして迅速に仕切り部材を着脱することも可能であり、安全柵を容易に構成することができる。
【００１２】
また、本発明によれば、プラスチックで形成されているため、車両等の衝突時には車両よりも安全柵の部材の方が破損しやすく、車両の損傷が甚大になる虞を抑制することができる。一方、低速での擦過や当接等の軽微な接触の場合には、安全柵もまた金属製の場合よりも破損しにくい。また、本発明の安全柵は、道路や工事現場等で利用されるものであり、粉砕した廃プラスチックを用いるマテリアルリサイクルによって得られたリサイクル原料であっても素材の質感等の要求水準を満たすことができるので、リサイクル原料の活用に適している。
【００１３】
このように、本発明の安全柵は、中央分離帯や、道路工事等の仮設的な通行規制箇所での利用に好適な視認性と安全性とをもたらすことができる。
【００１４】
また、本発明の安全柵は、「プラスチックで形成され、略鉛直方向に延び上端側が開放された溝状を呈する受容部を側面に複数備えており、地面に立設される複数の支持部材と、
プラスチックで形成され前記受容部よりも厚みの薄い板状を呈し第一突起部または第一凹部を底面に備えた上側板状部材、
及びプラスチックで形成され前記上側板状部材と略同一の厚みの板状を呈し前記第一凹部と嵌合する形状の第二突起部、または前記第一突起部と嵌合する形状の第二凹部、が上面に設けられ、前記上側板状部材の下側に配設される下側板状部材、
を含む複数の板状部材からなり、前記上側板状部材と前記下側板状部材とが端面合わせで上下に積層されて構成された仕切り部材と
を具備し、
所定の間隔を設けて前記受容部を対向させて順に配設された前記複数の支持部材の夫々の間に、前記支持部材の間を遮蔽する前記仕切り部材が、前記受容部に左右の側端部を夫々挿入され、底面と地面との間に隙間を設けて所定の高さで配設されている」構成とすることもできる。
【００１５】
本構成によれば、支持部材は複数備えられており、夫々の受容部が対向する位置関係で順に配設されている。そして、支持部材の間に仕切り部材が夫々立設されているので、連続的に構成された長い区間にわたる安全柵を構成することができる。
【００１６】
また、本構成によれば、受容部の幅は仕切り部材の厚みよりも大きいため、受容部の内面と仕切り部材の板面との間には隙間が生じる。これにより、仕切り部材と受容部との間に遊びができ、仕切り部材と受容部との相対的な配設方向の自由度を高めることができる。受容部に対する仕切り部材の向きを変えることができるため、道路の湾曲部にあたる箇所などにおいて、中央分離帯上や車線上に安全柵を少しずつ屈曲させて向きを変えながら連続的に設置することができる。
【００１７】
さらに、本構成によれば、複数の板状部材が側端部を鉛直方向に延びる溝状の受容部に挿入した状態で上下に積層されて仕切り部材が構成されている。これにより、小さな板状部材を受容部に順に挿入して積層することで、夫々の板状部材よりも視認性の高い大きな板状を呈する仕切り部材を簡単に構成することができる。また、仕切り部材は、上側板状部材に設けられた第一突起部または第一凹部と、下側板状部材に設けられた第二突起部または第二凹部とが嵌合した状態で配設される。これにより、受容部の内面と仕切り部材の板面との間に隙間がある場合でも、組み立てた状態で板状部材の合わせ面がずれる虞を抑制することができる。
【００１８】
また、仕切り部材は、地面から所定の高さの位置に配設されており、仕切り部材と地面との間に隙間があるので、地面に凹凸がある場合にも仕切り部材の底面が地面に当接しにくくなっている。これにより、安全柵を設置した場合に仕切り部材が傾いたりして設置に支障が生じる虞を低減させることができる。傾斜地に設置される場合にも地面の勾配が変化する箇所で仕切り部材が地面に当接しにくくすることができる。さらに、仕切り部材の下方に隙間があることにより、雨水を堰き止めることなく流下させることができる。
【００１９】
また、本構成によれば、仕切り部材を複数の板状部材に分離可能であり、部分的に部材を交換することが可能である。部材の破損や損耗が生じた場合にも必要な部分だけを新しい部材と交換することで維持コストを抑制することができる。例えば、仕切り部材の上端部や下端部に偏って汚れや破損が生じる場合には、当該部分の板状部材のみを交換することによって修復可能である。同様に、支持部材が破損した場合にも、破損した支持部材のみを交換することができる。また、標識表示の付加された部材を用意すれば、通行規制等に対応した標識表示を行う場合にも必要な部材のみの交換によって簡単に対応することができる。また、交換作業を行う場合には、受容部の上方が開放されているので、支持部材はそのままに仕切り部材を上方から出し入れして部材の交換を行うことができる。
【００２０】
また、本構成によれば、複数の板状部材を積層することによって仕切り部材を構成するので、板状部材の数を変えることで仕切り部材の高さが異なる安全柵を構成することができる。これにより、同じ部材を利用しつつ、設置状況に応じて適切な高さの安全柵を構成することが可能となる。また、仕切り部材をより小さな板状部材に分割できるので、収納時及び運搬時にかさばらないようにできる。
【発明の効果】
【００２１】
このように、本発明によれば、プラスチック製の部材によって構成されており車両衝突時の安全性が高い。また、溝状の受容部に仕切り部材を挿入する構造のため、仕切り部材の設置や交換作業が容易である。さらに、仕切り部材の視認性が高いために見落としや誤認による事故発生の虞を軽減し、円滑に通行を誘導し、安全性の高い安全柵を提供することができる。
【発明を実施するための最良の形態】
【００２２】
以下、本発明の一実施形態である安全柵１について、図１乃至図４に基き説明する。図１は、本発明の一実施形態である安全柵１を示す斜視図であり、図２は、安全柵１の構成を示す分解斜視図であり、図３は、安全柵１のＡ−Ａ断面を示す断面図であり、図４は安全柵１のＢ−Ｂ間における断面を示す断面図である。
【００２３】
図１に示すように、安全柵１は、支持ポスト２及び仕切りパネル３を組み合わせて構成されている。１組の仕切りパネル３の側端部が一対の支持ポスト２で夫々支持され、仕切りパネル３が連続する柵状に立設されて安全柵１が構成されている。
【００２４】
図２及び図４に示すように、支持ポスト２は、対向する１組の側面に仕切受容部４ａ，４ｂが設けられており、他の１組の側面にアンカー受容部５０ａ，５０ｂが設けられた四角錘台形、すなわち四角錘の頂部を水平に切除した台形、を呈するポスト部７がポスト基部６の上に一体的に形成された形状を呈しており、全高は約８００ｍｍである。仕切受容部４ａ，４ｂの下端面４３は、いずれもポスト基部６の上端と同じ高さで、地面から約５０ｍｍの位置に形成されており、仕切受容部４ａ，４ｂの上端は開放されている。仕切受容部４ａは、横断面が外側が開放された向きの略コの字形を呈し、下端面４３に略垂直をなす３面によって構成されている。ポスト部７の側面は傾斜しているので、仕切受容部４ａの奥行きは下から上へと次第に減少し、溝が浅くなる形状を呈する。仕切受容部４ｂは、ポスト部７の中心を挟んで仕切受容部４ａと対称であり、仕切受容部４ａと同一の形状を呈する。アンカー受容部５０ａ，５０ｂの下端面は、仕切受容部４ａ，４ｂと同様にポスト基部６の上端に一致して平面的に形成されており、アンカーボルト孔２１が穿設されている。なお、支持ポスト２は、全体が一体的に再生プラスチックで形成されている。ここで、支持ポスト２が、本発明の支持部材に相当し、仕切りパネル３が、本発明の仕切り部材に相当し、仕切受容部４（４ａ，４ｂ）が、本発明の受容部に相当する。
【００２５】
仕切りパネル３は、端面同士を突き合わせて上下に積層された３枚の板状部材から構成されている。３枚の板状部材は、下から順に第一パネル３１、第二パネル３２、第三パネル３３であり、図２に示すようにいずれも同じ厚み及び同じ幅の略長方形の板状を呈し、多数の穿孔１５が設けられている。第一パネル３１、第二パネル３２、及び第三パネル３３の厚みは、仕切受容部４の幅よりも小さく、各パネルの端部を仕切受容部４に挿入することができる。このとき、各パネルの厚みが仕切受容部４の幅よりも小さいため、各パネルの板面と仕切受容部４の内面との間には余裕があり、各パネルの向きと仕切受容部４の向きとの相対的な関係は多少自由度がある。第一パネル３１は、図３の断面図に示すように、底面３５は平坦で、上面には突条を呈する突起３６が設けられている。第二パネル３２は、底面に溝状の凹部３７、上面に突条を呈する突起３８が設けられており、第一パネル３１の上方に配設され、凹部３７が第一パネル３１の突起３６と嵌合する。第三パネル３３は、底面に溝状の凹部３９が設けられており、上面４０は平坦に形成されており、第二パネル３２の上方に配設され、凹部３９が第二パネル３２の突起３８と嵌合する。なお、第一パネル３１、第二パネル３２、及び第三パネル３３は、いずれも再生プラスチックで形成されている。本例においては、第一パネル３１、第二パネル３２、及び第三パネル３３は、いずれも全幅９６０ｍｍで、３枚を積層した状態での全高は約７５０ｍｍである。ここで、第一パネル３１が、本発明の下側板状部材に相当し、第二パネル３２が、本発明の上側板状部材に相当し、突起３６が、本発明の第二突起部に相当し、凹部３７が、本発明の第一凹部に相当する。
【００２６】
第一パネル３１、第二パネル３２、及び第三パネル３３は、最下方に位置する第一パネル３１から順に仕切受容部４に挿入されて第二パネル３２、第三パネル３３と、上に積層され、突起と凹部とが嵌合して安定する。仕切受容部４の下端面４３は、ポスト基部６の上端と同じ高さに平面的に設けられており、第一パネル３１の底面３５と地面との間には隙間ができる。
【００２７】
図３に示すように、支持ポスト２に穿設されたボルト穴４５及び第三パネル３３の穿孔１５のひとつをボルト４６が貫通し、第三パネル３３は支持ポスト２に対してボルト４６及びナット４７によって固定されている。また、支持ポスト２は、支持ポスト２に凹設されたアンカー受容部５０の底部に穿設されたアンカーボルト孔２１を貫通したアンカーボルト２０によって地面に固定される。
【００２８】
図１に示すように、支持ポスト２の仕切受容部４に仕切りパネル３の一端部を固定し、他の支持ポスト２の仕切受容部４に仕切りパネル３の他端部を固定すると、１組の仕切りパネル３を一対の支持ポスト２によって立設することができる。また、支持ポスト２にはいずれも２箇所の仕切受容部４が設けられており、夫々の支持ポスト２の間に仕切りパネル３を配設して帯状の安全柵１を構成することができる。
【００２９】
安全柵１を道路に沿って連続的に設置する場合には、道路のカーブに沿って設置する必要があるが、仕切受容部４は、先述のように仕切りパネル３の厚みよりも幅広に形成されているので、図４に示すように仕切りパネル３と仕切受容部４との相対的な方向関係を変化させ、仕切りパネル３の向きをカーブに合わせて設置することが可能である。
【００３０】
また、図１及び図２に示すように、支持ポスト２の頂部には、螺子孔２８に反射鏡１６が螺着されている。これにより、視認性をさらに高めて注意喚起を行うことができる。
【００３１】
安全柵１は、反射鏡１６を除いた全高が８００ｍｍである。安全柵１の高さは、自動車の運転者から見やすい高さであり、仕切りの存在を明瞭に視認させることができる。また、視界を完全に遮ることなく運転者に過度の圧迫感を与えることのない高さとなっている。第一パネル３１、第二パネル３２、及び第三パネル３３は、いずれも全幅９６０ｍｍであり、安全柵１を構成した場合に支持ポスト２の中心間の距離は約１０００ｍｍである。これは、長く連続的に安全柵１を構成する場合にも、比較的短い安全柵１を構成する場合にも対応しやすい大きさであり、かつ、メートルモジュールに合わせて構成できるので様々な状況において寸法の収まりがよく設置しやすいものとなっている。なお、寸法及び形状はこれに限定されるものではなく、種々に変化させることが可能である。
【００３２】
このように、本実施形態によれば、設置が容易であり、接触時の車両破損の虞が小さく、壁状を呈し視認性が高いので見落としや誤認による衝突を防ぎ、通行を円滑かつ安全に誘導できる安全柵１を提供することができる。
【００３３】
また、支持ポスト２及び仕切りパネル３は、いずれもプラスチック製の部材であり、軽量かつ衝撃吸収性を有するので、車両が衝突した場合にも車両に大きな破損が生じる虞を抑制することができる。
【００３４】
さらに、各部材ごとに交換することができるので、破損や汚れのある部材を新しい部材と交換して保守することが可能である。例えば、仕切りパネル３の最上部のみが破損した場合には第三パネル３３のみを交換すればよい。これにより、事故等によって破損した場合にも逸早く復旧することが可能となる。さらに、汚れて視認性が悪化した部材の清掃を行うときには、既設部材を予備部材と交換することによってすぐに視認性を改善することができ、安全性の低下を抑制することができる。また、第一パネル３１の突起３６と第二パネル３２の凹部３７とが嵌合し、第二パネル３２の突起３８と第三パネル３３の凹部３９とが嵌合し、第一パネル３１、第二パネル３２、及び第三パネル３３が端面合わせで上下に積層されて仕切りパネル３を構成している。こうして構成された仕切りパネル３は、互いに嵌合して１枚の板状になって、溝状の仕切受容部４に両側端部が挿入されて支持される。一対の支持ポスト２の間に配設された仕切りパネル３は、仕切受容部４によって前後左右及び下方への移動が拘束され、仕切受容部４の上側からのみ取り外すことが可能となる。このため、仕切りパネル３を構成する部材のうち、最上部に位置する第三パネル３３をボルト４６及びナット４７によって支持ポスト２に固定することで仕切りパネル３全体を支持ポスト２に対して固定することができる。また、仕切りパネル３を支持ポスト２に固定する箇所が少ないことにより、各部材が夫々に支持ポスト２に対して固定されている場合よりも部材を着脱する作業の手間を小さくすることができる。
【００３５】
支持ポスト２を地面に固定した状態で仕切りパネル３のみを交換することもできるので、工事等の注意喚起の表示が付された仕切りパネル３を、工事期間のみ設置するといった利用方法も可能である。
【００３６】
また、仕切りパネル３と地面との間には約５０ｍｍの隙間があり、路面の継ぎ目や局所的な勾配の変化などがあっても仕切りパネル３が地面に当接する虞が抑制されるので、安全柵１の設置が容易である。さらに、仕切りパネル３の下方に隙間があることにより、雨水を堰き止めることなく流下させることができる。
【００３７】
さらに、仕切りパネル３の厚みよりも仕切受容部４の開口幅の方が大きく、仕切りパネル３の板面と仕切受容部４の内面との間には隙間ができるので、仕切りパネル３の向きを変えて設置することができる。これにより、道路のカーブに沿って仕切りパネル３の向きを合わせ、カーブ周辺でも安全柵１を連続的に設置することができる。このとき、仕切りパネル３を構成する第一パネル３１、第二パネル３２、及び第三パネル３３は、互いに端部同士で嵌合しているので、部材間にずれが生じる虞を抑制することができる。
【００３８】
また、仕切りパネル３には穿孔１５が多数設けられており、横風を受けたときに仕切りパネル３に大きな力が加わる虞を低減することができる。また、穿孔１５を多数設けることによってさらなる軽量化を図ることができる。
【００３９】
さらに、複数の板状部材を積層して仕切りパネル３を構成しているので、板状部材の数を増減させることで高さの異なる安全柵を構成することが可能となる。すなわち、安全柵１においては第一パネル３１、第二パネル３２、及び第三パネル３３の３点の部材で仕切りパネル３が構成されていたが、例えば第一パネル３１及び第三パネル３３の２点のみを組み合わせて仕切りパネルを構成すれば、仕切りパネル３の部分が安全柵１の約３分の２の高さの安全柵を構成することが可能である。
【００４０】
さらに、支持ポスト２は、四角錘台形を呈しており、下方に向かって裾広がりとなっているので安定性が高い。
【００４１】
また、本実施形態の安全柵１によれば、安全柵１の主要な部材である仕切りパネル３を構成する第一パネル３１、第二パネル３２、及び第三パネル３３と、支持ポスト２とは、いずれもプラスチックで形成された部材である。これらの部材は、粉砕した廃プラスチックのマテリアルリサイクルによって得られたリサイクル原料の利用に適しており、比較的容易にリサイクル原料によって製造することが可能である。これにより、社会的ニーズである省資源及びごみ減量に貢献することができる。
【００４２】
本実施形態の安全柵１は、視認性及び衝突時の安全性に優れており、中央分離帯など、自動車が接触する虞の強い箇所に設置しても安全性の高い安全柵として利用できる。また、設置及び撤去が容易であるので、工事現場における仮設安全柵としても適している。
【００４３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４４】
上記の実施形態においては、仕切りパネル３は、第一パネル３１、第二パネル３２、及び第三パネル３３を積層して構成されており、３枚のパネルは夫々形状が異なっていたが、３枚とも第二パネル３２と同一の形状としてもよい。これにより部材の種類を減少させることができる。
【００４５】
また、支持ポスト２は、四角錘に似た形状のものを示したが、これに限定されるものではない。例えば、円柱状、角柱状等であってもよいし、円錐状であってもよい。製造時の効率や製品の意匠性に対する配慮に基づいて種々のものとすることができる。
【００４６】
また、上記の実施形態においては、仕切りパネル３を構成する第一パネル３１、第二パネル３２、及び第三パネル３３にはいずれも穿孔１５が多数穿設されているものを示したが、これに限定されるものではない。例えば、穿孔１５が全く設けられていないものであってもよいし、穿孔１５がボルト４８に対応する位置にのみ開けられているものであってもよい。穿孔１５が設けられていない場合には、ボルト４８の先端が仕切りパネル３に押圧されることによって仕切りパネル３と支持ポスト２とを締結するなど、異なる締結方式となる。穿孔１５が設けられていないことにより、仕切りパネル３に標語や誘導表示等の各種の表示を行ったときに視認性を高めることが可能である。
【００４７】
また、上記の実施形態においては、３枚の板状部材が上下に積層されて仕切りパネル３が構成されているものを示したが、これに限定されるものではなく、２枚の板状部材の積層によって仕切りパネル３が構成されているものであってもよいし、４枚以上の板状部材の組み合わせによって構成されているものであってもよい。また、仕切りパネル３が一体的に構成されているものであってもよい。複数の部材で構成されている場合には、仕切りパネル３を構成する板状部材の組み合わせを変えることによって安全柵１の高さを複数通りに変えることができる利点がある。
【００４８】
さらに、上記の実施形態においては、支持ポスト２の中心を挟んで対称となる位置関係で、夫々の仕切受容部４がポスト基部６の側面に対して垂直方向に形成されているものを示したが、これに限定されるものではない。例えば、ポスト基部６の側面に対して６０度の角度をなす向きで仕切受容部４が形成されていてもよいし、仕切受容部４ａ及び仕切受容部４ｂが夫々異なる向きで形成されていてもよい。また、仕切受容部４ａ及び仕切受容部４ｂが対向する面に形成されているものに限定されず、角を挟んだ一対の面に形成されていてもよいし、３方向以上の側面に仕切受容部４が形成されているものであってもよい。仕切受容部４が角を挟んだ一対の面に形成されていると、２枚の仕切りパネル３を、Ｌ字状に約９０度の角をなして配設して安全柵を構成することができるので、道路の曲がり角などに設置する場合に好適である。３方向以上の側面に仕切受容部４が形成されていると、Ｔ字状や十字状に仕切りパネル３を配設することが可能であり、安全柵１の構成パターンをさらに多様化することができる。
【００４９】
また、上記の実施形態においては、第一パネル３１及び第二パネル３２の上面に突起３６，３８が形成されており、第二パネル３２及び第三パネル３３の底面に凹部３７，３９が形成されているものを示したが、これに限定されるものではなく、上下に積層したときに嵌合する形状であれば異なる形状であってもよい。例えば、第一パネル３１及び第二パネル３２の上面に凹部が設けられており、第二パネル３２及び第三パネル３３の底面に突部が設けられていてもよい。ここで、第一パネル３１及び第二パネル３２の上面に設けられた凹部が、本発明の第二凹部に相当し、第二パネル３２及び第三パネル３３の底面に設けられた突部が、本発明の第一突起部に相当する。
【００５０】
さらに、安全柵１の左右の端部に異形部材を設置してもよい。例えば、仕切りパネル３と同じ厚みの直角三角形を呈する板状の部材を、底辺を地面と略平行に、垂線を鉛直方向に向けて端部に位置する支持ポスト２の仕切受容部４に装着することで、安全柵１の端部を、端に向かって徐々に低くなっていく形状とし、安全柵１の端部に視覚的に滑らかな印象を与えることができる。
【図面の簡単な説明】
【００５１】
【図１】本発明の安全柵を示す斜視図である。
【図２】安全柵の分解斜視図である。
【図３】安全柵のＡ−Ａ断面を示す断面図である。
【図４】安全柵のＢ−Ｂ断面を示す断面図である。
【符号の説明】
【００５２】
１  安全柵
２  支持ポスト（支持部材）
３  仕切りパネル（仕切り部材）
４  仕切受容部（受容部）
３１  第一パネル（下側板状部材）
３２  第二パネル（上側板状部材）
３６  突起（第二突起部）
３７  凹部（第一凹部）
【図１】
2009174177.tif 000003
【図２】
2009174177.tif 000004
【図３】
2009174177.tif 000005
【図４】
2009174177.tif 000006